(57)【要約】【課題】この発明はヘッドボード体に小物類などを載置することができる載置体を出し入れ可能に設けたベッド装置を提供することにある。【解決手段】上面にマットレス３が載置されるベッド本体１と、ベッド本体の長手方向一端に設けられるヘッドボード体４とを具備し、  ヘッドボード体には、マットレスの上面よりも上方に突出した部分の幅方向の端面に開口して形成された収容部と、収容部に出し入れ可能収容された載置体１６とを有する。【選択図】      図１
2006068442.tif 000002
【特許請求の範囲】
【請求項１】
上面にマットレスが載置されるベッド本体と、
このベッド本体の長手方向一端に設けられるヘッドボード体とを具備し、
上記ヘッドボード体は、
上記マットレスの上面よりも上方に突出した部分の幅方向の端面に開口して形成された収容部と、
この収容部に出し入れ可能に収容された載置体と
を有することを特徴とするベッド装置。
【請求項２】
上記収容部は、上記ヘッドボード体の幅方向両端部に開口形成されていることを特徴とする請求項１記載のベッド装置。
【発明の詳細な説明】
【技術分野】
【０００１】
この発明はマットレスが載置されるベッド本体の長手方向一端にヘッドボード体が設けられるベッド装置に関する。
【背景技術】
【０００２】
一般に、ベッド装置は上面にマットレスが載置されるベッド本体を有する。このベッド本体の長手方向一端にはヘッドボード体が設けられている。ヘッドボード体としては単なる板状のものが用いられることが多かった。しかしながら、最近では上記ヘッドボード体を有効に利用することが要求されている。
【０００３】
そこで、上記ヘッドボード体を箱型状に形成し、その前面側に照明灯を設けたり、小物類を収容することができる収容部を形成するなどしてヘッドボード体の付加価値を高めることが種々行われている。
【発明の開示】
【発明が解決しようとする課題】
【０００４】
ヘッドボード体に照明灯を設けたり、小物類の収容部を形成することで、確かにヘッドボード体の付加価値を高めることができる。しかしながら、最近ではヘッドボード体を箱型状に形成した場合、ヘッドボード体に照明灯や収容部を設けることは一般化してきているため、他の機能を設けることで、さらにヘッドボード体の付加価値を高めることが要求されている。
【０００５】
この発明は、ヘッドボード体に、小物類を載置することができる載置体を出し入れ可能に設け、必要に応じて載置体をヘッドボード体から引き出すことで、その上面を小物類の載置場所として利用することができるようにしたベッド装置を提供することにある。
【課題を解決するための手段】
【０００６】
この発明は、上面にマットレスが載置されるベッド本体と、
このベッド本体の長手方向一端に設けられるヘッドボード体とを具備し、
上記ヘッドボード体は、
上記マットレスの上面よりも上方に突出した部分の幅方向の端面に開口して形成された収容部と、
この収容部に出し入れ可能に収容された載置体と
を有することを特徴とするベッド装置にある。
【０００７】
上記収容部は、上記ヘッドボード体の幅方向両端部に開口形成されていることが好ましい。
【発明の効果】
【０００８】
この発明によれば、載置体をヘッドボード体の収容部から側方へ引き出すことで、この載置体の上面を小物類などの載置場所として有効に利用することができ、不要時には収容部に収容することで、邪魔になることがない。
【発明を実施するための最良の形態】
【０００９】
以下、この発明の一実施の形態を図面を参照して説明する。  
図１はベッド装置の斜視図であって、このベッド装置はベッド本体１を備えている。このベッド本体１はフレーム２を有し、このフレーム２には図示しない床板が架設され、この床板の上面にはマットレス３が載置される。  
上記フレーム２の長手方向一端にはヘッドボード体４が設けられている。このヘッドボード体４は、前板５の幅方向両端内面にそれぞれ側板６の前端面が固定されている。図５に示すように、一対の側板６の後端内面には、上記前板５よりも高さ寸法の低い後板７が幅方向両端を連結して設けられている。一対の側板６と後板７の上端面には仕切り板８が下面を固定して設けられている。この仕切り板８の前端面は上記前板５の内面に当接している。
【００１０】
図２と図５に示すように、上記仕切り板８の後端上面には上部後板９が立設されている。この上部後板９の上端は上記前板５の上端よりも高い位置にある。上部後板９の高さ方向中途部の内面と、上記前板５の上端部内面との間には中板１１が架設されている。
【００１１】
上記中板１１の上面の前後方向中途部には、中板１１に比べて長さ寸法の短い連結板１２が下面を固定して設けられ、この連結板１２の上面と上記上部後板９の上面とには上記中板１１に比べて奥行き寸法の小さな天板１３が設けられている。
【００１２】
それによって、上記ヘッドボード体４の仕切り板８と天板１３との間には、上記中板１１によって下部収容部１４ａと上部収容部１４ｂとに区画された収容部１４がヘッドボード体４の幅方向両端面に開口して形成されている。つまり、収容部１４は、上記ヘッドボード体４の上記フレーム２に載置されたマットレス３の上面よりも高い位置に形成されている。
【００１３】
ヘッドボード体４の左右一対の収容部１４にはそれぞれ載置体１６が出し入れ可能に収容されている。この載置体１６は、図２（ｂ）に示すように上記下部収容部１４ａにスライド可能に設けられるベース部材１７を有する。上記仕切り板８の長手方向両端部の幅方向中途部には、図２（ａ）及び図４に示すようにヘッドボード体４の幅方向に沿う規制溝１８が所定長さで、しかも厚さ方向に貫通して形成されている。
【００１４】
上記下部収容部１４ａに収容されたベース部材１７には、図３に示すように上記規制溝１８に通されたストッパねじ１９が螺合される。それによって、上記ベース部材１７は上記ストッパねじ１９が規制溝１８の長手方向一端と他端とに当接する間でスライドさせることができるようになっている。
【００１５】
上記ベース部材１７の上面の長手方向一端部の幅方向中央部には帯板状のガイド部材２１が下端面を固定して設けられている。このガイド部材２１の上端面にはテーブル板２２が設けられている。上記ガイド部材２１は、上記中板１１の長手方向両端部に長手方向に沿って形成されたガイド溝２３にスライド可能に挿入される。ガイド溝２３は中板１１の端面に開放している。上記ガイド部材２１の長手方向末端の上記ベース部材１７とテーブル板２２との間には端部材２０が設けられている。
【００１６】
図２（ｂ）に示すように、上記テーブル板２２の長手方向一端部には矩形状の凹部２２ａが形成されている。このテーブル板２２は上記上部収容部１４ｂに出し入れ可能に収容されている。テーブル板２２に凹部２２ａが形成されているため、載置体１６を収容部１４に収容すると、凹部２２ａの側面が連結板１２の側面にガイドされて上部収容部１４ｂに入り込む。つまり、載置体１６は、テーブル板２２が連結板１２に衝突することなく、収容部１４に出し入れ可能に収納することができる。
【００１７】
収容部１４に出し入れ可能に収容された上記載置体１６は、ストッパねじ１９が規制溝１８の一端に当接する位置まで引き出すことができ、逆に上記ストッパねじ１９が規制溝１８の他端に当接する位置まで収容することができるようになっている。
【００１８】
載置体１６を収容部１４に収容したとき、ベース部材１７の先端部は収容部１４からわずかに突出しており、その突出端の下面には手指を掛けることができる手掛け部２４（図３に示す）が形成されている。それによって、収容部１４に収容された上記載置体１６を容易に引き出すことができるようになっている。
【００１９】
このような構成のベッド装置によれば、ヘッドボード体４には幅方向両端面に開放した収容部１４を形成し、各収容部１４にはそれぞれ載置体１６を出し入れ可能に収容した。そのため、収容部１４から載置体１６を所定の位置まで引き出せば、この載置体１６に設けられたテーブル板２２の上面を、種々の小物類の載置場所として利用することができる。
【００２０】
載置体１６はヘッドボード体４の幅方向側方に引き出すことができるようになっている。そのため、マットレス３上の利用者が上半身を起こしてヘッドボード体４の前板５に寄り掛かった状態であっても、上記載置体１６が邪魔にならないばかりか、載置体１６を収容部１４に対して自由に出し入れすることができるため、便利である。
【００２１】
上記載置体１６は、上下方向に所定の間隔で離間したベース部材１７とテーブル板２２とによって構成されている。そして、ベース部材１７は下部収容部１４ａに収容され、テーブル板２２は上部収容部１４ｂに収容されている。
【００２２】
そのため、載置体１６は、ベース部材１７が下部収容部１４ａにガイドされ、テーブル板２２が上部収容部１４ｂにガイドされているから、上下方向にがたつき難い。したがって、載置体１６は、収容部１４に対して出し入れを比較的円滑に行うことができるばかりか、引き出した状態においても、上下方向にがたつきにくいから、安定した状態で使用することができる。
【００２３】
この発明は上記一実施の形態に限定されず、種々変形可能である。たとえば、上記一実施の形態では、ヘッドボード体の幅方向両端部に収容部を形成してそれぞれ載置体を出し入れ可能に設けたが、幅方向の一方だけに収容部を形成して載置体を設けるようにしても差し支えない。
【図面の簡単な説明】
【００２４】
【図１】この発明の一実施の形態のベッド装置の一方の載置体を引き出した状態を示す斜視図。
【図２】（ａ）はヘッドボード体の一部を示す斜視図、（ｂ）は載置体を示す斜視図。
【図３】ヘッドボード体の一部を断面した正面図。
【図４】ヘッドボード体の一部を断面した平面図。
【図５】ヘッドボード体の載置体を除去した側面図。
【図６】（ａ）はヘッドボード体の仕切り板の一端部を示す断面図、（ｂ）は同じく中板を示す断面図。
【符号の説明】
【００２５】
１…ベッド本体、３…マットレス、４…ヘッドボード体、１４…収容部、１４ａ…下部収容部、１４ｂ…上部収容部、１６…載置体、１７…ベース部材、２２…テーブル板。
【図１】
2006068442.tif 000003
【図２】
2006068442.tif 000004
【図３】
2006068442.tif 000005
【図４】
2006068442.tif 000006
【図５】
2006068442.tif 000007
【図６】
2006068442.tif 000008